(57)【要約】【課題】記録材料をできるだけ効率的に使用できるようにした記録材料保持ドラム及び画像記録装置を提供する。【解決手段】この記録材料保持ドラムは、外部空間からその内部空間まで周壁を貫通する複数の貫通孔３１ｃを有するドラムの内部空間を吸引し負圧にすることでその外周面の保持領域に記録紙を保持するように構成されている。ドラムの外周面３１ａに吸引溝３１ｂ，３１ｄを円周方向Ｃ成分及び軸方向Ｐ成分を有する方向に延びかつ貫通穴と接続するように設け、外周面に対し軸方向成分を有する方向に延びる吸引溝３１ｄを記録紙の最小サイズに対応した保時領域３１ｆからドラムの周方向Ｔの１０乃至１００ｍｍの範囲内の保持領域Ａに設けた。【選択図】  図４
2004341285.tif 000002
【特許請求の範囲】
【請求項１】
外部空間からその内部空間まで周壁を貫通する複数の貫通孔を有するドラムの前記内部空間を吸引し負圧にすることでその外周面の保持領域にシート状の記録材料を保持するように構成された記録材料保持ドラムであって、
前記ドラムの外周面に吸引溝を円周方向成分及び軸方向成分を有する方向に延びかつ前記貫通穴と接続するように設け、
前記外周面に対し前記軸方向成分を有する方向に延びる前記吸引溝を前記記録材料の最小サイズに対応した保時領域から前記ドラムの周方向の１０乃至１００ｍｍの範囲内に設けたことを特徴とする記録材料保持ドラム。
【請求項２】
前記貫通孔を前記ドラムの外周面に円周方向成分を有する方向に延びる吸引溝と軸方向成分を有する方向に延びる吸引溝との交点に配置したことを特徴とする請求項１に記載の記録材料保持ドラム。
【請求項３】
前記外周面における記録材料の保持領域の周縁部付近に保持領域を示す目印を設けたことを特徴とする請求項１または２に記載の記録材料保持ドラム。
【請求項４】
前記ドラムの直径が２００ｍｍ以上、４００ｍｍ以下であることを特徴とする請求項１，２または３に記載の記録材料保持ドラム。
【請求項５】
請求項１乃至４のいずれか１項に記載の記録材料保持ドラムと、
前記ドラムに向けて前記記録材料を給送する給送手段と、
前記ドラムの内部空間を吸引し負圧にするための吸引手段と、
前記吸引手段で負圧にした前記ドラムの外周面に前記記録材料を保持した状態で画像データに基づいて露光し画像記録を行う露光手段と、を備えることを特徴とする画像記録装置。
【請求項６】
前記画像データのサイズに基づいて前記記録材料を切断する切断手段を備えることを特徴とする請求項５に記載の画像記録装置。
【請求項７】
前記露光のときの主走査のために前記ドラムの外周面に前記記録材料を保持した状態で前記ドラムを回転駆動する駆動手段を備えることを特徴とする請求項５または６に記載の画像記録装置。
【請求項８】
前記ドラムの回転速度が１００ｒｐｍ以上、２０００ｒｐｍ以下であることを特徴とする請求項５，６または７に記載の画像記録装置。
【発明の詳細な説明】
【０００１】
【発明の属する技術分野】
本発明は、外周面にシート状の記録材料を吸引で保持する記録材料保持ドラム及び画像記録装置に関するものである。
【０００２】
【従来の技術】
ドラムの内部を吸引し負圧にして記録紙をドラムの外周面に保持した状態でドラム上の記録紙を露光することで画像記録を行う画像記録装置が公知である（例えば、下記特許文献１参照）。
【０００３】
かかる画像記録装置では、従来、複数サイズの記録紙について画像データのサイズに対し画像が欠けることなく露光可能な最小サイズを自動選択し露光を行っていた。しかしながら、ドラムにおいて吸引保持可能な記録材料のサイズが決められていたため、露光後の出力物において余白となる記録材料のロスが生じることがあった。
【０００４】
【特許文献１】
特開２００１−２１５７２４公報
【０００５】
【発明が解決しようとする課題】
本発明は、上記従来技術の問題に鑑み、記録材料をできるだけ効率的に使用できるようにした記録材料保持ドラム及び画像記録装置を提供することを目的とする。
【０００６】
【課題を解決するための手段】
上記目的を達成するために、本発明による記録材料保持ドラムは、外部空間からその内部空間まで周壁を貫通する複数の貫通孔を有するドラムの前記内部空間を吸引し負圧にすることでその外周面の保持領域にシート状の記録材料を保持するように構成された記録材料保持ドラムであって、前記ドラムの外周面に吸引溝を円周方向成分及び軸方向成分を有する方向に延びかつ前記貫通穴と接続するように設け、前記外周面に対し前記軸方向成分を有する方向に延びる前記吸引溝を前記記録材料の最小サイズに対応した保時領域から前記ドラムの周方向の１０乃至１００ｍｍの範囲内に設けたことを特徴とする。
【０００７】
この記録材料保持ドラムによれば、ドラムの外周面に対し軸方向成分を有する方向に延びる吸引溝を記録材料の最小サイズの保時領域から（記録開始先端側から所定長さの後端から）ドラム周方向に１０ｍｍ以上、１００ｍｍ以下（好ましくは８０ｍｍ以下）の範囲に設けることにより、記録材料の長さを画像サイズに合わせて任意に切断でき吸引保持が可能となるので、露光される記録材料のロスを最小限にすることができ、記録材料を効率的に使用できる。
【０００８】
上記記録材料保持ドラムにおいて、前記貫通孔を前記ドラムの外周面に円周方向成分を有する方向に延びる吸引溝と軸方向成分を有する方向に延びる吸引溝との交点に配置することで、吸引溝の配置に関係なく、より効率的に吸引溝での吸引が可能となる。このため、記録材料の吸引手段として用いる真空ポンプの容量を大きくし吸引能力を増やす必要がない。なお、吸引溝は連続的に形成してよいが、不連続的に形成してもよい。
【０００９】
また、前記外周面における記録材料の保持領域の周縁部付近に保持領域を示す目印を設けることが好ましい。保持領域の基準位置を示す目印を設けることにより、画像記録装置に組み込んだ後で、メンテナンスを行う際にドラムに吸引保持された記録材料の保持領域からのズレ量が視認し易くなる。
【００１０】
また、前記ドラムの直径が２００ｍｍ以上、４００ｍｍ以下であることが好ましい。これにより、ドラムの径を大きくする程、周長が長くなるため、より多種サイズの記録材料を吸引保持できる。
【００１１】
本発明による画像記録装置は、上述の記録材料保持ドラムと、前記ドラムに向けて前記記録材料を給送する給送手段と、前記ドラムの内部空間を吸引し負圧にするための吸引手段と、前記吸引手段で負圧にした前記ドラムの外周面に前記記録材料を保持した状態で画像データに基づいて露光し画像記録を行う露光手段と、を備えることを特徴とする。
【００１２】
この画像記録装置によれば、ドラムの外周面に対し軸方向成分を有する方向に延びる吸引溝を記録材料の最小サイズの保時領域から（記録開始先端側から所定長さの後端から）ドラム周方向に１０ｍｍ以上、１００ｍｍ以下の範囲に設けることにより、給送される記録材料の長さを画像サイズに合わせて任意に切断でき吸引保持が可能となるので、露光される記録材料のロスを最小限にすることができ、記録材料を効率的に使用できる。
【００１３】
上記画像記録装置において前記画像データのサイズに基づいて前記記録材料を切断する切断手段を備えることが好ましい。これにより、記録材料の長さを画像サイズに合わせて任意に切断でき、画像データのサイズに合わせた記録材料をドラムに保持させることができる。
【００１４】
また、前記露光のときの主走査のために前記ドラムの外周面に前記記録材料を保持した状態で前記ドラムを回転駆動する駆動手段を備えるように構成できる。これにより、ドラムの回転方向に主走査を行うことができる。
【００１５】
また、前記ドラムの回転速度が１００ｒｐｍ以上、２０００ｒｐｍ以下であることが好ましい。これにより、ドラム回転中の遠心力による記録材料の剥離が生じることなく、記録材料の吸引保持をより安定して行うことができる。
【００１６】
【発明の実施の形態】
以下、本発明による実施の形態について図面を用いて説明する。図１は本実施の形態による画像記録装置全体の外観を示す斜視図である。図２は図１の画像記録装置の内部を正面側から見た図である。図３は図２の画像記録装置のドラム及び光学ユニットを上部から見た要部平面図である。
【００１７】
図１、図２に示すように、本実施の形態による画像記録装置１は、印刷出力対象の絵柄、色調、文章、文字等の確認を行うためのカラープルーフ（校正用サンプル）を作成するものであって、記録材料である銀塩カラー感光材料（以下、単に「記録材料」ともいう。）に露光し画像を形成する露光部１１と、露光された記録材料を現像する現像部２１と、を備える。
【００１８】
露光部１１は、前面からメンテナンスできるように開閉可能な前面パネル５と、各種情報の表示とタッチパネルからなり装置全体の操作のために入力可能な表示部２と、内部にロール状の記録材料である記録紙を収容したカートリッジ１３を給紙カバー３，４の開放後に装填可能な装填部１２，１２’と、を備える。図１では装填部１２，１２’にカートリッジ１３を装填する前、装填した後の状態を示している。
【００１９】
現像部２１は、メンテナンスのために開閉可能な上面パネル６と、前面には、現像処理液等の補充等のために開閉可能に設けられた補給パネル７と、を備える。
【００２０】
図２に示すように、画像記録装置１の露光部１１は、内部にロール状に巻かれたシート状記録材料である記録紙を収納した専用のカートリッジ１３を装填し収容する装填部１２，１２’と、装填部１２，１２’に装填されたカートリッジ１３から記録紙を給送する搬送ローラ対４０，４１，４２等からなる給送部１４と、給送部１４から給送された記録紙Ｓを外周面に真空吸引し保持しながら主走査のために回転方向Ｒに回転するドラム１０と、ドラム１０上の記録紙に対しＬＥＤ光やレーザ光等の光ビームを露光する光学ユニット１６と、光学ユニット１６を副走査のために副走査方向（図１の紙面垂直方向）に搬送する副走査部１７と、画像記録後のドラム１０上の記録紙を剥離する剥離部材１５と、を備える。露光後の記録紙は出口１９及び接続部１９ａを通して現像部２１へと搬送される。
【００２１】
図２の画像記録装置１は、更に、搬送ローラ対４２の下流側に配置されドラム１０に向けて送られる記録紙の搬送に従い従動回転する従動ローラ３１と、記録紙をドラム１０との間で搬送する従動ローラ３１と、ドラム１０上から剥離部材１５で剥離された記録紙をドラム１０と従動ローラ３１とで搬送するときに記録紙をガイドするアキュームガイド部材１８と、アキュームガイド部材１８で送られてきた記録紙を出口１９へと更に搬送する搬送ローラ対３２と、搬送ローラ対３２に達した記録紙をアキュームするためにアキュームガイド部材１８の一部が開放されることで形成されるアキュームレート部３０と、搬送ローラ対３２の下流側近傍に配置された記録紙の先端を検出する検出センサ３３と、を備える。また、下流側の搬送ローラ対３２は、ワンウェイクラッチ構造を有し、記録紙の下流側への送り出し方向への回転が自在となっている。
【００２２】
図２の現像部２１は、露光部１１から送られた露光後の記録紙について湿式現像を行うもので、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、を備える。
【００２３】
図３のように、画像記録装置１のドラム１０は、回転軸部１４’の回転軸１４ａ及び回転軸部１８の回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動によりドラム１０が回転する。また、ドラム１０の回転軸１５ａには、ロータリーエンコーダ３７が設けられ、回転のためのパルス信号を出力してドラムの回転に同期した画素クロック制御に用いる。
【００２４】
ドラム１０の他方の回転軸１４ａは吸引ブロアＰ１に連結されている。ドラム１０の外周面３１ａには吸着貫通孔３１ｃが回転軸方向に直線状に延びて多数形成されており、吸引ブロアＰ１の駆動によりドラム１０の内部が減圧されて記録紙がドラム１０の表面に吸着される。
【００２５】
光学ユニット１６は、副走査部１７によりドラム軸と平行に移動可能に構成され、ドラム１０に吸着された記録紙に光ビームで露光して画像の書き込みを行う。図３に示すように、光学ユニット１６には、異なる３波長の光源としてＬＥＤユニット３２０、ＬＥＤユニット３２１、ＬＥＤユニット３２２が配置されている。各ＬＥＤユニット（ＬＥＤ光源）３２０，３２１，３２２からの光ビームは、ミラー３２５、３２６、３２７を介して、集光レンズ３３１からドラム１０上の記録紙に画像を露光する。露光シャッタ３３２は露光ソレノイド３３３により開閉することで、露光開始／終了時に光路の開閉を行なう。
【００２６】
複数のＬＥＤ光源３２０，３２１，３２２からの各光ビームはドラム１０に吸着された記録紙の記録面で略同位置に露光される。また、複数のＬＥＤ光源３２０，３２１，３２２は、例えば、それぞれ波長４５０ｎｍ程度のＢ（ブルー）、波長５４０ｎｍ程度のＧ（グリーン）、波長６５０ｎｍ程度のＲ（レッド）の各色を発光するように構成でき、各ＬＥＤ光源により銀塩カラー感光材料を露光したとき、ＢによりＹ（イエロー）、ＧによりＣ（シアン）、ＲによりＭ（マゼンダ）がそれぞれ発色するようになる。
【００２７】
光学ユニット１６は、移動ベルト３４０に固定され、一対のガイドレール３４１、３４２に案内されてドラム軸と平行方向に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に移動する。
【００２８】
図３に示すように、吸引ブロアＰ１は空気吸引ポンプにより吸引連結管５１を通してドラム１０内を吸引し、露光部１１による露光開始前にドラム１０内を負圧にし吸着貫通孔３１ｃを通して記録紙を外周面に吸着する。
【００２９】
次に、上述のドラム１０の外周面の吸着貫通孔及び吸引溝の構成について図４，図５を参照して説明する。図４は、図２，図３のドラムの外周面を平面状に展開した平面図である。図５は図４のＶ−Ｖ線上に切断してみた吸着貫通孔の断面図である。
【００３０】
図４に示すように、ドラム１０の外周面３１ａは、ドラム１０の周方向Ｃに平行に直線状に形成された複数の吸引溝３１ｂと、ドラム１０の軸方向Ｐに平行に直線状に形成された複数の吸引溝３１ｄと、周方向Ｃの吸引溝３１ｂと軸方向Ｐの吸引溝３１ｄとの各交点に形成された吸着貫通孔３１ｃと、を有する。また、周方向Ｃには比較的短い吸引溝３１ｇが形成され、軸方向Ｐの吸引溝３１ｄとの各交点に吸着貫通孔３１ｃが形成されている。なお、軸方向Ｐの吸引溝３１ｄも比較的短く断続的に形成してもよい。
【００３１】
図５に示すように、各吸着貫通孔３１ｃは周方向Ｃの吸引溝３１ｂと軸方向Ｐの吸引溝３１ｄとの各交点にドラム１０の周壁を貫通して形成されており、ドラム１０の内部が吸引され負圧になることで各吸引溝３１ｂ、３１ｄを通して外周面３１ａ上に記録紙が吸引されて保持される。
【００３２】
また、周方向Ｃの吸引溝３１ｂと軸方向Ｐの吸引溝３１ｄとの交点に各吸着貫通孔３１ｃを配置することで、吸引溝の配置に関係なく、より効率的に吸引溝３１ｂ、３１ｄでの吸引が可能となるため、記録紙の吸引手段として用いる吸引ブロアＰ１の空気吸引ポンプの容量を大きくし吸引能力を増やす必要がない。
【００３３】
上述のように、ドラム１０の外周面３１ａの最外周の吸引溝３１ｂ、３１ｄ内には記録紙を吸引し保持する保持領域が形成される。そして、図４のように、ドラム１０の外周面３１ａには記録紙の最小サイズを吸引し保持する図のハッチングで示すような保持領域３１ｆが形成され、保持領域３１ｆの記録紙の後端側に対応する吸引溝３１ｄ’の周方向Ｃ側に延びた保持領域Ａ内には、軸方向Ｐに延びる吸引溝３１ｄが複数形成されている。この保持領域Ａの周方向Ｃの長さは１０乃至１００の範囲内にすることが好ましく、１０乃至８０ｍｍの範囲内が更に好ましい。
【００３４】
また、図４のように、ドラム１０の外周面３１ａにおける記録紙の保持領域の外周部分の周縁部付近に保持領域を明確にするために周方向Ｃ及び軸方向Ｐの基準位置を示す目印３１ｅを複数箇所に設けている。この目印３１ｅは、溝加工や塗装によるマーキング等により形成することができる。例えば保持領域３１ｆを示す目印３１ｅを設けることにより、画像記録装置のメンテナンスを行う際にドラム１０に吸引保持された記録紙の保持領域３１ｆからのズレ量を視認し易くなり、便利である。
【００３５】
また、ドラム１０の直径は２００ｍｍ以上、４００ｍｍ以下が好ましく、ドラム１０の径を大きくする程、周長が長くなるため、より多種サイズの記録紙を吸引保持できる。
【００３６】
次に、図２の画像記録装置の搬送ローラ対やカッタ部等を含む給送部について更に図６乃至図８を参照して説明する。図６は図２の画像記録装置の搬送ローラ対やカッタ部等を含む給送部の要部平面図である。図７は図６のカッタ部の正面図であり、図８は図７のカッタ部の要部上面図である。
【００３７】
図２，図６に示すように、給送部１４は、更に、第１の搬送ローラ対４０と第２の搬送ローラ対４２との間に配置され搬送中の記録紙をガイドする第１のガイド部材４５と、もう１つの第１の搬送ローラ対４１と第２の搬送ローラ対４２との間に配置され搬送中の記録紙をガイドする第２のガイド部材４６と、第１の搬送ローラ対４０と第１のガイド部材４５の入口側との間に配置されたカッタ部４３と、第１の搬送ローラ対４１と第２のガイド部材４６との間に配置されたカッタ部４４と、を備える。
【００３８】
図６のように、装填部１２及び１２’の各カートリッジ１３からの記録紙の出口近傍に出口センサ５１、出口センサ５２をそれぞれ配置し、出口センサ５１、５２は反射型や透過型の光センサから構成でき、記録紙の有無を検出する。
【００３９】
また、第２の搬送ローラ対４２の下流側近傍には比較的幅狭の従動ローラ４７が配置され記録紙の移動とともに従動回転する。また、従動ローラ５３がドラム１０の回転に従動回転するように配置され、第２の搬送ローラ対４２、従動ローラ４７から搬送されてきた記録紙が従動ローラ５３とドラム１０との間に挟まれてドラム１０の外周に巻き付く。
【００４０】
また、図６の破線で示すようにロータリエンコーダ５４が従動ローラ４７と同軸に連結されており、記録紙の移動により回転する従動ローラ４７の回転量を検出し、この検出した回転量に基づいて第２の搬送ローラ対４２を通過し従動ローラ４７を通過した記録紙の長さを測定できる。
【００４１】
図６のカッタ部４３，４４は、第１の搬送ローラ対４０，４１の下流側近傍でありかつ第１のガイド部材４５、第２のガイド部材４６の各入口側近傍にそれぞれ位置し、上記記録紙の長さ測定に基づいて、記録紙を所定のタイミングで所定長さに切断するようになっている。
【００４２】
図７，図８に示すように、カッタ部４３は、図８の記録紙Ｓの幅方向Ｔまたはその反対方向Ｔ’に移動しながら回転して記録紙を幅方向に直線状に切断するロータリカッタ部４３ａと、ロータリカッタ部４３ａを回転駆動するモータ４３ｃと、ロータリカッタ部４３ａとの間で破線で示す記録紙Ｓを挟むことができるように記録紙Ｓの幅方向に延び固定して配置された直線状の固定部４３ｂと、を備える。
【００４３】
図６〜図８のように、記録紙Ｓは、上流の搬送ローラ対４０からカッタ部４３の入口４３ｄに入り、出口４３ｅから出て、第１のガイド部材４５の入口４５ａへと搬送される。そして、第１のガイド部材４５を通過して更に第２の搬送ローラ４２によりドラム１０と従動ローラ５３との間へと搬送されるが、搬送ローラ対４２を通過した記録紙Ｓの長さをロータリエンコーダ５４で測定し、記録紙Ｓが所定長さとなったときに搬送ローラ対４０，４２による搬送を停止し、ロータリカッタ部４３ａがモータ４３ｃとともに固定部４３ｂの一端側から方向ＴまたはＴ’に一方向に移動しながら記録紙Ｓを幅方向に直線状に切断する。
【００４４】
なお、もう一方のカッタ部４４はカッタ部４３と同様に構成され、モータ４３ｃと同様のモータによりロータリカッタ部を回転駆動して、第２の装填部１２’からの記録紙を切断する。
【００４５】
図９に図１〜図３の画像記録装置１の露光部１１における画像データの流れ及び画像記録装置１の制御系のブロック図を示す。
【００４６】
図９に示すように、図１〜図３の画像記録装置１は、カラープルーフを作成するために外部の画像処理装置であるＲＩＰ（Ｒａｓｔｅｒ  Ｉｍａｇｅ  Ｐｒｏｃｅｓｓｏｒ）４９でラスターデータから網点画像データを作成し、この網点画像データがＲＩＰ４９から露光部１１に転送されるようになっている。
【００４７】
露光部１１は、図９のように、外部のＲＩＰ４９からの網点画像データが入力する画像データＩ／Ｆ部６２と、画像データＩ／Ｆ部６２からの網点画像データをいったん記憶し随時出力するハードディスク記憶装置等からなるデータバッファ６３と、データバッファ６３からの網点画像データに基づいて記録紙に対する露光のための露光データを作成するルックアップテーブル６４と、ルックアップテーブル６４からの露光データのデジタル信号をアナログ信号に変換するＢ、Ｇ、Ｒの各ＬＥＤ光源３２０〜３２２に対応した複数のＤ／Ａ変換部５５ａ，５５ｂ，５５ｃと、Ｄ／Ａ変換部５５ａ〜５５ｃからの各アナログ信号により各ＬＥＤ光源３２０〜３２２を直接にアナログ変調しドライブする複数のドライバ５６ａ，５６ｂ，５６ｃと、を備える。
【００４８】
図４の制御部５０は、中央演算処理装置（ＣＰＵ）等から構成され、画像データＩ／Ｆ部５２、データバッファ５３、ルックアップテーブル５４、カッタ部モータ４３ｃ、吸引ブロアＰ１及び他の装置部分を制御する。
【００４９】
制御部５０は、外部のＲＩＰ４９からの網点画像データのサイズ情報及びロータリエンコーダ５４で測定した記録紙の長さ測定情報に基づいて記録紙を所定長さにカッタ部モータ４３ｃを作動させて切断させる。これにより、記録紙の長さを画像サイズに合わせて任意に切断でき、画像データのサイズに合わせた記録紙をドラム１０に保持させて露光を行うことができる。
【００５０】
次に、図１乃至図９の画像記録装置１における動作について図１０のフローチャートを参照して説明する。
【００５１】
まず、外部のＲＩＰ４９から転送された網点画像データが入力すると（Ｓ０１）、制御部５０は網点画像データからサイズ情報を得るとともに（Ｓ０２）、記録紙を装填部１２または１２’からドラム１０に向けて搬送する（Ｓ０３）。  次に、搬送ローラ対４２の下流側の従動ローラ４７を通過した記録紙の長さをロータリエンコーダ５４で測定し、記録紙が上記サイズ情報に適合した所定長さとなったら（Ｓ０４）、カッタ部４３または４４で記録紙を切断する（Ｓ０５）。
【００５２】
次に、記録紙Ｓは従動ローラ５３とドラム１０との間で更に搬送され、ドラム１０の外周面に巻き付き、図３の吸引ブロアＰ１を作動させることで、ドラム１０の外周面に吸引され保持される（Ｓ０６）。このとき、記録紙がドラム１０の周方向Ｃに図４の最小サイズの保持領域３１ｆより長いため保持領域Ａ内に延びた場合でも、保持領域Ａ内には軸方向Ｐに延びた複数の吸引溝３１ｄがあるので、記録紙を確実に保持できる。
【００５３】
次に、外部のＲＩＰ４９から入力した網点画像データからルックアップテーブル６４で作成された露光データに基づいて各ＬＥＤ光源３２０〜３２２を発光させることで記録紙を露光する（Ｓ０７）。
【００５４】
次に、露光により感光した記録紙をドラム１０から剥離部材１５で剥離し、搬送ローラ対３２等で出口１９へと搬送し（Ｓ０８）、現像部２１に接続部１９ａから送り、記録紙の現像処理を行ってから（Ｓ０９）、排出部２８へと排出する（Ｓ１０）。
【００５５】
以上のように、本実施の形態による画像記録装置１によれば、ドラム１０の外周面３１ａに対し軸方向Ｐに延びる吸引溝３１ｄを記録紙の最小サイズの保時領域３１ｆからドラム１０の周方向Ｔに１０ｍｍ以上、１００ｍｍ以下の範囲内の保持領域Ａに設けることにより、記録紙の長さを画像サイズに合わせて任意に切断でき、記録紙の確実な吸引・保持が可能となるので、露光される記録紙のロスを最小限にすることができ、記録紙を効率的に使用できる。
【００５６】
また、露光時におけるドラム１０の回転速度は１００ｒｐｍ以上、２０００ｒｐｍ以下であることが好ましく、ドラム１０の回転中の遠心力による記録紙のドラム１０からの剥離が生じることなく、記録紙の吸引保持をより安定して行うことができる。
【００５７】
以上のように本発明を実施の形態により説明したが、本発明はこれらに限定されるものではなく、本発明の技術的思想の範囲内で各種の変形が可能である。例えば、例えば、本発明による画像記録装置はカラープルーフの作成以外の画像記録にも適用できることは勿論である。
【００５８】
また、図４では複数の吸引溝３１ｂは、周方向Ｃに平行に直線状に形成されているが、周方向Ｃの直線に対し４５度以下に傾斜していてもよく、円周方向成分を有する方向に延びる吸引溝となる。同様に、複数の吸引溝３１ｄは、ドラム１０の軸方向Ｐに対し４５度以下に傾斜していてもよく、軸方向成分を有する方向に延びる吸引溝となる。この場合も、軸方向Ｐ成分を有する方向に延びる吸引溝３１ｄが複数形成される保持領域Ａの長さは周方向Ｃに対する長さで定義できる。
【００５９】
【発明の効果】
本発明によれば、記録材料をできるだけ効率的に使用できるようにした記録材料保持ドラム及び画像記録装置を提供できる。
【図面の簡単な説明】
【図１】本実施の形態による画像記録装置全体の外観を示す斜視図である。
【図２】図１の画像記録装置の内部を正面側から見た図である。
【図３】図２の画像記録装置のドラム及び光学ユニットを上部から見た要部平面図である。
【図４】図２，図３のドラムの外周面を平面状に展開した平面図である。
【図５】図４のＶ−Ｖ線上に切断してみた吸着貫通孔の断面図である。
【図６】図２の画像記録装置の搬送ローラ対やカッタ部等を含む給送部の要部平面図である。
【図７】図６のカッタ部の正面図である。
【図８】図８は図７のカッタ部の要部上面図である。
【図９】図１乃至図８の画像記録装置１の露光部１１における画像データの流れ及び画像記録装置１の制御系のブロック図を示す。
【図１０】図１乃至図９の画像記録装置１における動作を説明するためのフローチャートである。
【符号の説明】
１・・・画像記録装置
１０・・・ドラム
１６・・・光学ユニット
３１ａ・・・ドラムの外周面
３１ｂ・・・ドラムの周方向に延びた吸引溝
３１ｃ・・・吸着貫通孔
３１ｄ・・・ドラムの軸方向に延びた吸引溝
３１ｅ・・・目印
３１ｆ・・・記録紙の最小サイズに対応した保時領域
Ａ・・・保時領域３１ｆからドラム周方向に延びた保持領域
Ｃ・・・ドラムの周方向
Ｐ・・・ドラムの軸方向
Ｓ・・・記録紙（シート状の記録材料、銀塩カラー感光材料）
【図１】
2004341285.tif 000003
【図２】
2004341285.tif 000004
【図３】
2004341285.tif 000005
【図４】
2004341285.tif 000006
【図５】
2004341285.tif 000007
【図６】
2004341285.tif 000008
【図７】
2004341285.tif 000009
【図８】
2004341285.tif 000010
【図９】
2004341285.tif 000011
【図１０】
2004341285.tif 000012